(57)【要約】【課題】近年の省資源化の要求に応じてペットボトルのリサイクルが実現され始めているが、そのリサイクルのためには、使用済みペットボトルに残ったキャップエンドリングを切断して分別しなければならない。その目的で、キャップエンドリング切断に特化した新しい使い方で、簡単な構成かつコンパクトなカッターを提供すること。【解決手段】ボトル口部にかぶせることで、内部のカッター刃を上からキャップエンドリングに当接させ、ギロチンのように押し付けて切断する方法と同時に、かぶせられるカッターカバーでキャップエンドリングを片寄せ、上からの切断を確実にした。【選択図】図５
2013159399.tif 000002
【特許請求の範囲】
【請求項１】
開栓されたペットボトルのボトル口部に残るキャップエンドリングを切断して分離するためのカッターであって、該ボトル口部に覆いかぶさるカッターカバーと、該カッターカバー内に植設され、その刃先をカッターカバー開口部に臨ませたカッター刃を有し、該カッターカバーを手で保持して該ボトル口部に覆いかぶせると同時に該キャップエンドリングを切断することを特徴とするボトルのキャップエンドリングカッター。
【請求項２】
前記カッターカバーのカッターカバー側壁の内面の一部がボトル口オネジ部の外径に当接し、該カッターカバー側壁の内面の他の一部が前記キャップエンドリングのキャップエンドリング外径部に当接することを特徴とする請求項１記載のボトルのキャップエンドリングカッター。
【請求項３】
前記カッターカバー内にカッター内側ガイドリブが配設され、かつ該カッター内側ガイドリブが前記ボトル口部のボトル口注ぎ穴部の内径に嵌合挿入され、前記カッターカバー側壁の内面の一部が前記キャップエンドリング外径部に当接することを特徴とする請求項１記載のボトルのキャップエンドリングカッター。
【発明の詳細な説明】
【技術分野】
【０００１】  本発明は、開栓された後に廃棄されるペットボトルに残ったキャップエンドリングを切断し分離するためのキャップエンドリングカッターの構造に関するものである。
【背景技術】
【０００２】  ポリエチレンテフタレート樹脂で成型されたペットボトルは、量産性が高く低コストのため、多く用いられているが、近年の省資源意識の高まりに応じて、リサイクルの方法が模索され、一部では実施されている。【０００３】  ボトル形状の容器内に飲料等を充填し販売する際には、その容器が開栓されていないことを証明することが必要であるが、ペットボトルの場合は、キャップと一体に成型されたキャップエンドリングをボトルにネジ込む方法が一般的である。【０００４】  最初のペットボトルの開栓時には、薄肉の縁切り部でキャップと一体となったキャップエンドリングが切断されてペットボトル側に残るため、開栓されたか否かが非常にわかりやすいが、リサイクル時には、異種材料を分別する必要がある。【０００５】  キャップをネジ止めするためのオネジを有したボトル口部は、ボトル収容部と同じポリエチレンテフタレート樹脂で一体に成型される場合と、ポリエチレンテフタレート樹脂以外の別材料で成型されボトル収容部に接合される場合があるが、後者の別材料の場合はボトル口部を切断分離することに手間を要するので、少なくともキャップエンドリングだけは切断して分別する方法が一般的である。【０００６】  しかしながら、このキャップエンドリングは指などで簡単に外れないため、刃物を用いた切断のための用具が提案されている。【０００７】  特開第２００３−２３７８９４号公報（特許文献１）では、ボトル口部上端に係止されて支点をなし下側の作用点でキャップエンドリングを外側から刃で切断する用具の提案がなされている。【０００８】  又、登録実用新案第３０６４８８２号（公報）及び特開第２００５−３４２４５４号（公報）では、ボトル口上端とキャップエンドリング下端を、回転可能に結合された各部材端部で挟んだ後、切断する、プライヤーと同じ操作による用具の提案がなされている。【０００９】  さらに、登録実用新案第３１６４３２１号（公報）では、上記と同様の構成で片側をボトル口内に挿入し、キャップエンドリング外径部に外側から刃を押し当てて切断する、プライヤーと同じ操作による用具の提案がなされている。
【先行技術文献】
【特許文献】
【００１０】
【特許文献１】特開第２００３−２３７８９４号公報
【特許文献２】登録実用新案第３０６４８８２号公報
【特許文献３】特開第２００５−３４２４５４号公報
【特許文献４】登録実用新案第３１６４３２１号公報
【発明の概要】
【発明が解決しようとする課題】
【００１１】  しかしながらこれら４件の提案においては、使用者が握る柄の部分が必要なため、用具寸法、特に長さが長くなり、かつ握る力や握って保持しながら動かす力が必要で、手が小さく力の無い女性や子供は使用し難い。さらにプライヤーと同様の操作をするものに於いては、ふたつの部品を支点において回転可能に結合しなければならず、構成が複雑になる。【００１２】  〔発明の目的〕
本発明は、このような不具合や構成の複雑化を排し、簡単な構成で使いやすくコンパクトなキャップエンドリングカッターを提供可能とするものである。
【課題を解決するための手段】
【００１３】  本発明は、ボトル口部にかぶせるカッターカバー内に、その刃先を下に向けカッターカバー開口部に臨ませたカッター刃を植設し、カッターカバーを手で保持して、ボトル口部にかぶせながら押し込むことで、キャップエンドリングを上からギロチンのように切断する構成とした。【００１４】  さらに、カッターカバー側壁の内面の一部をボトル口オネジ部の外径に当接させ、カッターカバー側壁の内面の対向する他の一部でキャップエンドリング外径部を外側から押し、片寄せられボトル口オネジ部の外径の外側にはみ出たキャップエンドリングの一部を上から確実に切断可能にした。【００１５】  あるいは、カッターカバー内面に、ボトル口注ぎ穴部の内径に嵌合挿入されるガイドリブを配設し、カッターをかぶせるとき径方向にずれないように規制し、かつカッターカバー側壁の内面の一部でキャップエンドリング外径部を外側から押し、片寄せられボトル口オネジ部の外径の外側にはみ出したキャップエンドリングの一部を上から確実に切断可能にした。
【発明の効果】
【００１６】  本発明のボトルのキャップエンドリングカッターによれば、キャップとほぼ相似形のカッターカバー部分を保持し、上からボトル口部にかぶせながら押し込む操作だけで、キャップエンドリングカッターを切断できるので、誰でも簡単に使用可能である。【００１７】  また、カッターカバーを上からかぶせるとき、カッターカバー側壁の内面の一部でキャップエンドリングを押して片寄せるので、キャップエンドリングの切断される部分がボトル口オネジ部の外径より外側に出っ張り、上から確実に切断可能になる。【００１８】  また、カッターカバー内にカッター刃が植設され、カッターカバー外側には刃が露出していないので、安全性が高い。【００１９】  さらに、カッターはキャップとほぼ相似形でわずかに大きいだけなので、収納性、携帯性に優れる。【００２０】  以上のように、本発明の効果は多岐にわたり有効なものである。
【図面の簡単な説明】
【００２１】
【図１】キャップを外した状態のペットボトルの斜視図である。
【図２】キャップエンドリング単体の形状を示す斜視図である。
【図３】図１のＡＡ断面図で、キャップ本体を二点鎖線で示している。
【図４】本発明の第一実施例の外観斜視図である。
【図５】本発明の第一実施例の内側を示す斜視図である。
【図６】本発明の第一実施例の使用初期状態を示す斜視図である。
【図７】図６のＢＢ断面図で、断面には表れないボトル口オネジ部の外径とキャップエンドリング外径部を二点鎖線で示している。使用者の手は省略している。
【図８】図６のＣＣ断面図である。使用者の手は省略している。
【図９】本発明の第一実施例の使用に於ける切断完了状態を示す全体の縦断面図である。使用者の手は省略している。
【図１０】本発明の第二実施例の外観斜視図である。
【図１１】本発明の第二実施例の内側を示す斜視図である。
【図１２】本発明の第二実施例の使用初期状態を示す斜視図である。
【図１３】図１２のＤＤ断面図である。使用者の手は省略している。
【図１４】本発明の第二実施例の使用に於ける切断完了状態を示す全体の縦断面図である。使用者の手は省略している。
【発明を実施するための形態】
【００２２】  以下、本発明の実施の形態を、図を基に説明する。
【００２３】  図１から図３まではペットボトルのキャップとキャップエンドリングの説明である。
【００２４】  図１は開栓しキャップを外した状態のペットボトル１の斜視図であるが、ボトル収容部１０の上部のボトル口部１１の外側にはボトル口オネジ部１１０が設けられている。また図３に示すように、ボトル口オネジ部１１０とキャップ２のキャップメネジ部２１はネジ対偶を構成しているので、最初に栓をするときには、キャップ本体２０と一体に成型されたキャップエンドリング２３は、キャップ２の回転に伴って回りながらボトル口上フランジ１１２とボトル口下フランジ１１３の間に収まる。この時、キャップエンドリングカエシ部２３１は弾性変形してボトル口オネジ部１１０の外径の表面をすべりながら通過する。
【００２５】  キャップ２を反対方向に回して開栓すると、キャップエンドリングカエシ部２３１がボトル口上フランジ１１２の下端に当たって上方向には移動出来ないので、薄肉のキャップ縁切り部２２が破断し、キャップ本体２０だけがボトル口部１１から外れ、キャップエンドリング２３はボトル口部１１に嵌ったままの状態で残る。
【００２６】  図１及び図３に示すボトル口オネジ部外径寸法Ｗ１及びボトル口注ぎ穴内径寸法Ｗ２及びボトル口高さ寸法Ｗ３は種々の寸法があり一定ではないが、本発明は、ある特定の寸法のボトルだけに対応する。
【００２７】  図４から図９までは、本発明の第一実施例で、カッターカバー３０は金属をプレス加工で絞った形状を仮定している。
【００２８】  カッターカバー側壁３１は、その内面に、カッターカバー側壁内面押し当て部３１０及びカッターカバー側壁内面規制部３１１及びカッターカバー側壁内面懐部３１２の部分を形成している。またカッターカバー側壁内面懐部３１２にはカッター刃３３が刃先３３０を下に向けカッターカバー開口部３０ａに臨ませた状態で植設されており、その近傍に、使用者の指が誤って刃先３３０に触れないようにガイドリブ３２が設けられている。
【００２９】  図６に示すように、使用に際しては、カッターカバー３０を使用者の手４で保持しながら、ボトル口部１１にかぶせる。
【００３０】  図８に示す状態までかぶせると、カッターカバー側壁内面押し当て部３１０がキャップエンドリング外径部２３０に当接し始めるが、図７に示すように、カッターカバー側壁内面規制部３１１がボトル口オネジ部１１０の外径に当接しているので、カッター３は図７に於ける右方向には動けず、カッターカバー側壁内面押し当て部３１０がキャップエンドリング２３を左方向に片寄せる。この時、刃先３３０はキャップエンドリング外径部２３０の上端に当たっている。
【００３１】  図９に示すようにカッター３をさらに押し込むと、刃先３３０は、片寄せられてボトル口オネジ部１１０の外径の外側に押し出されたキャップエンドリング外径部２３０を上から切断する。尚二点鎖線でキャップエンドリング２３の切断された部分を表している。
【００３２】  図１０から図１４までは、本発明の第二実施例で、カッターカバー３０は樹脂で成型された形状を仮定している。
【００３３】  本第二実施例に於いても、前記第一実施例と同じ使い方であるが、カッターカバー３０の内面のガイドリブ３２は円筒形状をなしボトル口注ぎ穴部１１１の内径に嵌合挿入されるので、カッター３を上から押し込むとき、ボトル口部１１に対して径方向（図１３における左右方向）にずれない。尚、ガイドリブ３２は円筒形状に限らず、図１３に於いてボトル口注ぎ穴部１１１の内径の複数箇所に接触する形状であれば良い。
【００３４】  その結果、図１４に示すように、カッターカバー側壁内面押し当て部３１０は、キャップエンドリング外径部２３０を押し、キャップエンドリング外径部２３０の対向する部分をボトル口オネジ部１１０の外径の外側に押し出す。
【００３５】  図１４に示すようにカッター３をさらに押し込んだ状態では、刃先３３０によって、片寄せられてボトル口オネジ部１１０の外径の外側に押し出されたキャップエンドリング外径部２３０が上から切断されている。尚二点鎖線でキャップエンドリング２３の切断された部分を表している。
【００３６】  本第二実施例に於いては、第一実施例にあるカッター側壁内面規制部３１１は無く、またカッター側壁内面押し当て部３１０を形成する肉が一部削られて、カッターカバー側壁内面懐部３１２を形成している。
【００３７】  第一実施例及び第二実施例ともに、上記の説明のように、キャップエンドリング外径部２３０を確実に切断可能であるが、キャップエンドリングカエシ部２３１はその一部が、ボトル口オネジ部１１０の外径の内側に留まっている場合もあるので、完全に切断できない場合がある。
【００３８】  ただし、ボトル口カエシ部２３１は、前記説明の通り、弾性変形可能な薄肉であるので、この部分が切断されず残ったとしても、容易に手でちぎれる。
【００３９】  以上のように、本発明による二つの実施例は、従来例とは異なった構成によって簡単でわかりやすい操作を可能にするが、この二つの実施例以外にも、本発明の趣旨を逸脱しない範囲で、様々な応用例が可能である。
【産業上の利用可能性】
【００４０】  本発明は、カッターの使用者に対し使い勝手を大幅に向上させ、またその大きさ、形態から、収納性及び携帯性に優れるので、ペットボトル利用者が常に使える利便性が大きく、ペットボトルのリサイクルの促進に多大な貢献をする。
【符号の説明】
【００４１】１        ペットボトル
１０      ボトル収容部
１１      ボトル口部
１１０    ボトル口オネジ部
１１１    ボトル口注ぎ穴部
１１２    ボトル口上フランジ
１１３    ボトル口下フランジ
２        キャップ
２０      キャップ本体                    ２１        キャップメネジ部
２２      キャップ縁切り部                ２３        キャップエンドリング
２３０    キャップエンドリング外径部    ２３１  キャップエンドリングカエシ部
３        カッター
３０      カッターカバー                  ３０ａ    カッターカバー開口部
３１      カッターカバー側壁
３１０    カッターカバー側壁内面押し当て部
３１１    カッターカバー側壁内面規制部
３１２    カッターカバー側壁内面懐部
３２      ガイドリブ
３３      カッター刃                      ３３０      刃先
４        使用者の手
Ｗ１      ボトル口オネジ部外径寸法
Ｗ２      ボトル口注ぎ穴内径寸法
Ｗ３      ボトル口高さ寸法
【図１】
2013159399.tif 000003
【図２】
2013159399.tif 000004
【図３】
2013159399.tif 000005
【図４】
2013159399.tif 000006
【図５】
2013159399.tif 000007
【図６】
2013159399.tif 000008
【図７】
2013159399.tif 000009
【図８】
2013159399.tif 000010
【図９】
2013159399.tif 000011
【図１０】
2013159399.tif 000012
【図１１】
2013159399.tif 000013
【図１２】
2013159399.tif 000014
【図１３】
2013159399.tif 000015
【図１４】
2013159399.tif 000016